(57)【要約】【課題】倍率色収差の補正値の調整及び決定を容易かつ正確に行うことができる撮像装置を提供する。【解決手段】光学レンズ１を通過した被写体光をＧ，Ｒ，Ｂの各成分に分解する手段５と、分解された光を電気信号に変換する撮像素子３と、撮像素子２により変換された電気信号をデジタル信号に変換する変換手段４と、記憶回路９に登録された光学レンズ１に対応する倍率色収差補正値を用いて前記デジタル信号に対して倍率色収差の補正を行う補正手段５と、倍率色収差が補正されたデジタル信号を映像信号として出力して表示部に表示させる出力手段７と、ユーザ操作により倍率色収差の補正値の入力が可能な入力手段１０と、入力手段１０で補正値を入力する際に、表示部に表示された映像のうちユーザ操作により選択した位置の部分を拡大表示する拡大表示手段８，６，７と、入力手段１０で決定された補正値を記憶回路９に登録する登録手段８と、を備える。【選択図】図１
2011035704.tif 000002
【特許請求の範囲】
【請求項１】
光学レンズを通過した被写体からの光をＲ，Ｇ，Ｂの各成分に分解する色分解手段と、
該色分解手段で分解された光を電気信号に変換する撮像素子と、
該撮像素子により変換された電気信号をデジタル信号に変換する変換手段と、
記憶回路に登録された前記光学レンズに対応する倍率色収差の補正値を用いて前記デジタル信号に対して前記倍率色収差の補正を行う補正手段と、
該補正手段により前記倍率色収差が補正された前記デジタル信号を映像信号として出力して表示部に表示させる出力手段と、
ユーザ操作により前記倍率色収差の補正値の入力が可能な入力手段と、
該入力手段で前記補正値を入力する際に、前記表示部に表示された映像のうちユーザ操作により選択した位置の部分を拡大表示する拡大表示手段と、
前記入力手段で決定された前記倍率色収差の補正値を前記記憶回路に登録する登録手段と、を備える
ことを特徴とする撮像装置。
【請求項２】
前記色分解手段は、色分解プリズムである、
ことを特徴とする請求項１に記載の撮像装置。
【請求項３】
前記色分解手段は、前記撮像素子の面上に配列されたカラーフィルタである、
ことを特徴とする請求項１に記載の撮像装置。
【請求項４】
前記登録手段は、記録媒体に記録された前記光学レンズの型式情報及び前記倍率色収差の補正値を取得して前記記憶回路に登録する、
ことを特徴とする請求項１〜３のいずれか一項に記載の撮像装置。
【請求項５】
前記入力手段により入力された前記倍率色収差の補正値に対応する焦点距離になるように前記光学レンズを移動させるレンズ制御手段を備える、
ことを特徴とする請求項１〜４のいずれか一項に記載の撮像装置。
【発明の詳細な説明】
【技術分野】
【０００１】
本発明は、デジタルビデオカメラ等の撮像装置に関し、特に倍率色収差を補正する手段を備える撮像装置に関する。
【背景技術】
【０００２】
通常、デジタルビデオカメラ等の撮像装置では、光学レンズに固有の色収差が存在しており、そのうち、光の周波数によって屈折率が異なり、波長の長い光と短い光とで結像する位置にずれが生じて、像に色ずれが発生するのが倍率色収差である。
【０００３】
従来、このような倍率色収差を補正する方法として、光学レンズに対して、ＣＣＤセンサやＣＭＯＳセンサなどの撮像素子から得られたＧ（緑）、Ｒ（赤）、Ｂ（青）の各信号を補正する技術が知られている。
【０００４】
例えば、撮像素子を通じて得られた画像を、色分解プリズムやオンチップカラーフィルタ等のＲＧＢの各色の画像に分解した後、例えばＧ画像を基準にＢ画像を拡大処理すると共に、Ｒ（赤）画像を縮小処理する。そして、これらの画像を合成して、倍率色収差を補正する技術が開示されている（特許文献１）。
【０００５】
また、撮影条件に応じて光学レンズの補正パラメータを決定し、色収差を補正する色収差補正プログラムが開示されている（特許文献２）。
【０００６】
一方、レンズ交換式の撮像装置の場合、光学レンズの型式情報を取得し、取得した型式に合った倍率色収差の補正パラメータを用いる撮像装置が実用化されている。
【先行技術文献】
【特許文献】
【０００７】
【特許文献１】特開平６−１１３３０９号公報
【特許文献２】特開２００６−１３５８０５号公報
【発明の概要】
【発明が解決しようとする課題】
【０００８】
上記従来の撮像装置では、光学レンズから取得した型式ごとに倍率色収差の補正パラメータを一意に決定するため、レンズに製造時の個体差による色収差のばらつきがある場合や、色収差補正値が登録されていない型式のレンズの場合には対応することができない。この場合は、ユーザが倍率色収差の補正値を調整して決定し、決定した補正値を撮像装置の記憶回路に登録する必要がある。
【０００９】
しかし、ユーザが倍率色収差の補正値を調整する際には、通常、大型の高精細モニタを使用する状況になく、撮像装置に付属の小型モニタを使用せざるを得ないため、正確な補正値を決定することができず、倍率色収差が映像に残った状態で撮影を行うことになる。
【００１０】
そこで、本発明は、倍率色収差の補正値の調整及び決定を容易かつ正確に行うことができる撮像装置を提供することを目的とする。
【課題を解決するための手段】
【００１１】
上記目的を達成するために、本発明の撮像装置は、光学レンズを通過した被写体からの光をＧ，Ｒ，Ｂの各成分に分解する色分解手段と、該色分解手段で分解された光を電気信号に変換する撮像素子と、該撮像素子により変換された電気信号をデジタル信号に変換する変換手段と、記憶回路に登録された前記光学レンズに対応する倍率色収差の補正値を用いて前記デジタル信号に対して前記倍率色収差の補正を行う補正手段と、該補正手段により前記倍率色収差が補正された前記デジタル信号を映像信号として出力して表示部に表示させる出力手段と、ユーザ操作により前記倍率色収差の補正値の入力が可能な入力手段と、該入力手段で前記補正値を入力する際に、前記表示部に表示された映像のうちユーザ操作により選択した位置の部分を拡大表示する拡大表示手段と、前記入力手段で決定された前記倍率色収差の補正値を前記記憶回路に登録する登録手段と、を備えることを特徴とする。
【発明の効果】
【００１２】
本発明によれば、倍率色収差の補正値の調整及び決定を容易かつ正確に行うことができるので、倍率色収差が良好に補正された状態で撮影を行うことができる。
【図面の簡単な説明】
【００１３】
【図１】本発明の実施形態の一例である撮像装置を説明するための概略ブロック図である。
【図２】倍率色収差補正部の具体的な処理例について説明するための概略ブロック図である。
【図３】本発明の実施形態の一例である撮像装置の動作例について説明するためのフローチャート図である。
【図４】本発明の他の実施形態である撮像装置を説明するための概略ブロック図である。
【図５】本発明の他の実施形態である撮像装置を説明するための概略ブロック図である。
【発明を実施するための形態】
【００１４】
以下、本発明の実施形態の一例を図面を参照して説明する。
【００１５】
図１は、本発明の実施形態の一例である撮像装置を説明するための概略ブロック図である。
【００１６】
図１において、光学レンズ１は、撮影時に被写体からの光を通過させ、色分解プリズム２を通じてＲ，Ｇ，Ｂの各成分に分解する。Ｒ，Ｇ，Ｂに分解された光は、撮像素子３で電気信号に変換される。
【００１７】
撮像素子３から出力されたＲ，Ｇ，Ｂの電気信号は、それぞれＡＦＥ（アナログフロントエンド）４でデジタル変換された後、デジタル信号処理部６へ入力される。
【００１８】
システム制御部８は、光学レンズ１から型式情報を含むレンズ情報を取得して、取得したレンズ情報に含まれる型式に対応する倍率色収差の補正値を補正値記憶回路９から読み出す。
【００１９】
そして、システム制御部８は、読み出した倍率色収差補正値をデジタル信号処理部６の倍率色収差補正部５へ書き出す。
【００２０】
倍率色収差補正部５は、倍率色収差補正値を用いてＲ，Ｇ，Ｂのデジタル信号に対して倍率色収差補正を実行する。
【００２１】
なお、光学レンズ１から取得したレンズ情報に含まれる型式に対応する倍率色収差の補正値が補正値記憶回路９に登録されていない場合は、倍率色収差補正部５での補正は行われない。
【００２２】
倍率色収差補正部５で倍率色収差補正が実行された信号は、デジタル信号処理部６でガンマ、ニーなどの所定の処理が施され、信号出力部７からモニタなどの外部出力や内蔵された小型ＬＣＤに映像として出力され、ユーザは、この状態で撮影を行う。
【００２３】
ここで、本実施形態では、光学レンズ１から取得したレンズ情報に含まれる型式に対応する倍率色収差補正値が補正値記憶回路９に登録されていない場合は、補正値情報入力部１０で倍率収差補正値を調整し、決定した補正値を補正値記憶回路９に登録する。
【００２４】
また、光学レンズ１に製造時の個体差による色収差のばらつきがある場合にも、補正値情報入力部１０で倍率収差補正値を調整し、決定した補正値を補正値記憶回路９に登録する。
【００２５】
補正値記憶回路９に登録された補正値は、光学レンズ１から取得したレンズ情報に含まれる型式に対応する倍率色収差補正値としてシステム制御部８により読み出された後、倍率色収差補正部５に書き出され、上記同様に、倍率色収差の補正が実行される。
【００２６】
次に、補正値情報入力部１０での倍率収差補正値の調整方法について説明する。
【００２７】
補正値情報入力部１０では、倍率色収差補正値の調整メニューが表示され、ユーザが調整メニューで所望の補正値を選択することができる。
ここで、調整メニューの表示例を下記に示す。
右補正値調整中は、たとえばＧに対してＲ、Ｂを補正するようなメニューであれば、
「焦点距離＊＊mmを調整中
⇒Ｒ補正：+99  （-99〜+99）
Ｂ補正：-50  （-99〜+99）
ＥＮＤ」
のようなメニュー表示が考えられる(⇒がカーソル)。
【００２８】
調整メニューで選択された補正値情報は、システム制御部８に出力され、システム制御部８は、レンズ駆動部（不図示）にレンズ制御信号を出力して光学レンズ１を選択した補正値に対応する焦点距離となるように移動させる。
【００２９】
また、補正値情報入力部１０では、正確に補正値を調整するために、倍率色収差が発生している位置を例えば内蔵小型ＬＥＤ等の表示部の映像を見ながらユーザ操作により選択することができる。
【００３０】
ここでの選択位置情報は、システム制御部８に出力され、システム制御部８は、デジタル信号処理部６を制御して、選択された位置に対応する部分の映像のデジタルズーム処理を行い、信号出力部７から出力する。これにより、内蔵小型ＬＥＤ等に倍率色収差が発生している部分の映像が拡大表示される。
【００３１】
そして、ユーザは、拡大表示された倍率色収差が発生している部分の映像を確認しながら補正値情報入力部１０での操作により補正値を調整して所定の補正値を決定する。
【００３２】
ここで決定された補正値情報は、システム制御部８に出力され、システム制御部は、決定された補正値を補正値記憶回路９に登録（又は更新登録）する。
【００３３】
次に、図２を参照して、倍率色収差補正部５の具体的な処理例について説明する。
【００３４】
倍率色収差補正部５の基準信号選択部１４には、ＡＦＥ４から出力されたＲ，Ｇ，Ｂ各色のデジタル信号が入力され、基準信号選択部１４では、どのチャンネルの信号を基準に色収差を補正するか選択する。
【００３５】
通常、Ｇ信号を基準にＲ，Ｂ信号の補正を行うが、使用する光学レンズ１によって基準信号を選択できるようにしておくことが好ましい。
【００３６】
基準信号の選択度、補正部１５では、システム制御部８が補正値記憶回路９から読み出した補正値を用いて残りのチャンネルの信号に対して所定の倍率色収差補正を行う。
【００３７】
なお、補正方法は、特に限定されないが、例えば、補正するチャンネルに対して焦点距離補正を行うものや、高速フーリエ変換を用いて各チャンネルを拡大、縮小する公知手法を用いることができる。
【００３８】
補正部１５で補正されたＲ，Ｇ，Ｂの各信号は、合成部１６で合成され、倍率色収差が補正された映像信号として信号出力部７に出力される。
【００３９】
次に、図３を参照して、本実施形態の撮像装置の動作例について説明する。図３での各処理は、不図示のＲＯＭ等に記憶されたプログラムがＲＡＭにロードされて、システム制御部８のＣＰＵ等により実行される。
【００４０】
ステップＳ１では、システム制御部８は、光学レンズ１から型式を含むレンズ情報を取得し、ステップＳ２に進む。
【００４１】
ステップＳ２では、システム制御部８は、ステップＳ１で取得したレンズ情報に含まれる型式に対応する倍率色収差の補正値が補正値記憶回路９に登録されているか否かを判断する。
【００４２】
そして、システム制御部８は、補正値が補正値記憶回路９に登録されている場合は、倍率色収差補正処理を行うべく、ステップＳ３に進み、補正値が補正値記憶回路９に登録されていない場合は、倍率色収差補正処理を行うことなく、ステップＳ４に進む。
【００４３】
ステップＳ３では、システム制御部８は、補正値記憶回路９から読み出した倍率色収差補正値をデジタル信号処理部６の倍率色収差補正部５へ書き出し、上述した倍率色収差補正を実行して、ステップＳ４に進む。
【００４４】
ステップＳ４では、システム制御部８は、補正値情報入力部１０でユーザ操作により倍率色収差補正値の調整メニューで補正値が選択されたか否かを判断し、選択された場合は、ステップＳ５に進み、選択されない場合は、処理を終了する。
【００４５】
ステップＳ５では、システム制御部８は、レンズ駆動部（不図示）にレンズ制御信号を出力してステップＳ４で選択された補正値に対応する焦点距離となるように光学レンズ１を移動させ、ステップＳ６に進む。
【００４６】
ステップＳ６では、システム制御部８は、補正値情報入力部１０でのユーザ操作により、内蔵小型ＬＥＤの映像のうちの倍率色収差が発生している位置が選択されると、ステップＳ７に進む。
【００４７】
ステップＳ７では、システム制御部８は、デジタル信号処理部６を制御して、ステップＳ６で選択された位置に対応する部分の映像のデジタルズーム処理を行い、ステップＳ８に進む。
【００４８】
これにより、デジタルズーム処理された映像信号が信号出力部７から出力され、内蔵小型ＬＥＤに倍率色収差が発生している部分の映像が拡大表示される。
【００４９】
ステップＳ８では、システム制御部８は、補正値情報入力部１０でのユーザ操作により倍率色収差の補正値が決定されると、ステップＳ９に進む。
【００５０】
ステップＳ９では、システム制御部８は、ステップＳ８で決定された補正値を補正値記憶回路９に登録（又は更新登録）し、ステップＳ２に戻る。
【００５１】
以上説明したように、本実施形態では、レンズ情報から取得した型式に対応する補正値を使用して色収差が良好に補正されている場合、すなわち、レンズの製造誤差が少なかった場合は図３のフローＳ４ではＮｏを選ふ。逆に製造誤差が大きかった場合は、Ｓ４でＹｅｓを選び、補正値を調整するモードを使用する。そのため、図３のフローでは、Ｓ２でＹｅｓを選択後、Ｓ３に行き、そのまま終了にはいかず、Ｓ４の処理を通す構成とする。このように、レンズ型式に対応する倍率色収差補正値が補正値記憶回路９に登録されていない場合やレンズ製造時の個体差による色収差のばらつきがある場合にも、倍率色収差補正値の調整及び決定を容易かつ正確に行うことができる。これにより、倍率色収差が良好に補正された状態で撮影を行うことができる。
【００５２】
なお、本発明は、上記実施形態に例示したものに限定されるものではなく、本発明の要旨を逸脱しない範囲において適宜変更可能である。
【００５３】
例えば、上記実施形態では、被写体からの光を色分解プリズム２を通じてＲ，Ｇ，Ｂの各成分に分解したが、図４に示すように、撮像素子１２の面上に配列されたオンチップカラーフィルタ１１により被写体からの光をＲ，Ｇ，Ｂの各成分に分解してもよい。この場合は、１つの撮像素子１２でよいため、撮像装置の小型軽量化が図れる。
【００５４】
また、図５に示すように、レンズ型式情報と倍率色収差補正値が記憶されたメモリカード等の記録媒体をカードスロット１３に装着し、該記録媒体からシステム制御部８がレンズ型式情報と倍率色収差補正値を取得して補正値記憶回路９に登録するようにしてもよい。
【符号の説明】
【００５５】
１    光学レンズ
２    色分解プリズム
３    撮像素子
４    ＡＦＥ
５    倍率色収差補正部
６    デジタル信号処理部
７    信号出力部
８    システム制御部
９    補正値記憶回路
１０  補正値情報入力部
【図１】
2011035704.tif 000003
【図２】
2011035704.tif 000004
【図３】
2011035704.tif 000005
【図４】
2011035704.tif 000006
【図５】
2011035704.tif 000007